(57)【特許請求の範囲】
【請求項１】
回転駆動されて液体の吸入および吐出を行うポンプ本体と、ポンプ本体の単位回転当たりの吐出容量を可変する容量可変機構と、この容量可変機構の受圧部に連通する導圧路に対して、高圧側流路と低圧側流路とを選択的に切り換えて連通させる容量切換弁と、を備え、該容量切換弁による切換動作によって前記容量可変機構の受圧部への圧力を変えてポンプ本体の吐出容量を大容量と小容量の何れかに切り換えることができるようになった２容量ポンプにおいて、
ポンプ本体の吐出圧力が上昇して設定圧力に達すると前記小容量よりもポンプ本体の吐出容量を減少させる圧力補償機構を備えることを特徴とする２容量ポンプ。
【請求項２】
前記圧力補償機構は、前記容量可変機構において前記小容量よりもポンプ本体の吐出容量を減少させるように作用する第２受圧部に連通する第２導圧路に対して、ポンプ本体の吐出圧力が設定圧力に達したときに高圧側流路を連通させ、ポンプ本体の吐出圧力が設定圧力より小さいときには低圧側流路を連通させる圧力補償弁を備えることを特徴とする請求項１記載の２容量ポンプ。
【請求項３】
前記容量可変機構は、前記大容量と前記小容量とに対応する位置の他に、実質的にゼロ容量に対応するカットオフ位置に移動可能となった受圧手段を備えることを特徴とする請求項１または２記載の２容量ポンプ。
【請求項４】
前記受圧手段は、前記大容量と小容量とに対応する位置で停止可能となった容量切換ピストンと、該容量切換ピストンと接離可能となり、前記容量切換ピストンと離れて前記カットオフ位置に移動可能となった圧力補償ピストンと、から構成されることを特徴とする請求項３記載の２容量ポンプ。
【請求項５】
前記容量可変機構は、前記容量切換ピストンの前記大容量と前記小容量とに対応する位置をそれぞれ調整可能となった容量調整機構を備えることを特徴とする請求項４記載の２容量ポンプ。
【請求項６】
前記容量調整機構は、２容量ポンプの外側からそれぞれ位置調整可能となり前記容量切換ピストンの前記大容量と前記小容量とに対応する位置を規定する第１ネジ部材と第２ネジ部材とを有することを特徴とする請求項５記載の２容量ポンプ。
【請求項７】
前記容量調整機構は、容量切換ピストンを構成すると共に前記大容量と前記小容量とに対応する位置を規定する第１ネジ部材と第２ネジ部材を有することを特徴とする請求項５記載の２容量ポンプ。
【請求項８】
前記ポンプ本体の吐出圧力を保持する保持手段を備え、該保持手段は、前記容量可変機構の受圧部に連通する導圧路に対して前記容量切換弁が選択的に導通させる高圧側流路に接続されることを特徴とする請求項１ないし７のいずれか１項に記載の２容量ポンプ。
【発明の詳細な説明】
【技術分野】
【０００１】
本発明は、可変容量形ポンプであって、その吐出容量を大容量と小容量との何れかに切り換えることができ、その何れかで安定して動作することができる２容量ポンプに関する。
【背景技術】
【０００２】
従来、この種の２容量ポンプとしては、特許文献１に記載されたものが知られている。この２容量ポンプでは、図１２の回路図及び構造断面図に示すような構成をしており、回転駆動されて液体の吸入および吐出を行うポンプ本体５０と、ポンプ本体５０の単位回転当たりの吐出容量を可変する容量可変機構５２と、この容量可変機構５２の受圧部に連通する導圧路に対して、吐出圧力の高圧側流路と、吸入圧力の低圧側流路とを選択的に連通させる切換弁５４と、を備えている。
【０００３】
切換弁５４は、コントローラからの切換信号に応じて作動する２位置の電磁弁であり、切換弁の作動状態により、高圧側流路及び低圧側流路のいずれか一方が導圧路に連通すると、それに応じて受圧部を有する受圧部材５２ｃが変位し、その変位に応じてポンプ本体５０の斜板５０ａの傾斜角が変化し、吐出容量を切り換えることができるようになっている。
【０００４】
そして、吐出容量の大容量と小容量とを規定するために、容量可変機構５２においては、斜板５０ａを傾斜する方向へと付勢するスプリング５２ａと、斜板をやや傾斜した位置で停止させるための当接位置調節ネジ機構５２ｂとが付設されている。
【０００５】
具体的な動作としては、コントローラからの切換信号がオフになると、切換弁５４が導圧路を低圧側流路に連通させるので、容量可変機構５２の受圧部には低圧が作用し、斜板５０ａはスプリングによる付勢力で最大限傾斜し、吐出容量は大容量となる。一方、コントローラからの切換信号がオンになると、切換弁５４が導圧路を高圧側流路に連通させるので、容量可変機構５２の受圧部には高圧が作用して受圧部材５２ｃが斜板５０ａを当接位置調節ネジ機構５２ｂに当接するまで押して、吐出容量は小容量となる。
【０００６】
こうして、ポンプ本体の吐出容量を大容量と小容量に切り換えることができるので、速度制御と圧力制御とに対応して、ポンプ本体の吐出容量を切り換えることで制御条件が絞り込まれ、最適条件の設定等を簡単に行うことができる。
【０００７】
【特許文献１】特開２００２−２６６７７０号公報
【発明の開示】
【発明が解決しようとする課題】
【０００８】
しかしながら、特許文献１に記載の２容量ポンプにおいては、当接位置調節ネジ機構５２ｂによって斜板５０ａの位置を制限することにより、小容量を規定しているために、ポンプの吐出流量をゼロにすることができない、という問題がある。つまり、２容量ポンプが接続される液圧回路の圧力が上昇しても、吐出流量を減少させることができないので、液圧回路の最大圧力を液圧的に制限するためには、別途、安全弁としてのリリーフ弁を設ける必要がある。
【０００９】
本発明は、かかる課題に鑑みなされたもので、その目的は、吐出容量が大容量と小容量とで切換可能となった２容量ポンプにおいて、圧力補償を行うことができるようにすることである。
【課題を解決するための手段】
【００１０】
前述した目的を達成するために、請求項１記載の発明は、回転駆動されて液体の吸入および吐出を行うポンプ本体と、ポンプ本体の単位回転当たりの吐出容量を可変する容量可変機構と、この容量可変機構の受圧部に連通する導圧路に対して、高圧側流路と低圧側流路とを選択的に切り換えて連通させる容量切換弁と、を備え、該容量切換弁による切換動作によって前記容量可変機構の受圧部への圧力を変えてポンプ本体の吐出容量を大容量と小容量の何れかに切り換えることができるようになった２容量ポンプにおいて、
ポンプ本体の吐出圧力が上昇して設定圧力に達すると前記小容量よりもポンプ本体の吐出容量を減少させる圧力補償機構を備えることを特徴とする。
【００１１】
請求項２記載の発明は、請求項１記載の前記圧力補償機構が、前記容量可変機構において前記小容量よりもポンプ本体の吐出容量を減少させるように作用する第２受圧部に連通する第２導圧路に対して、ポンプ本体の吐出圧力が設定圧力に達したときに高圧側流路を連通させ、ポンプ本体の吐出圧力が設定圧力より小さいときには低圧側流路を連通させる圧力補償弁を備えることを特徴とする。
【００１２】
請求項３記載の発明は、請求項１または２記載の前記容量可変機構が、前記大容量と前記小容量とに対応する位置の他に、実質的にゼロ容量に対応するカットオフ位置に移動可能となった受圧手段を備えることを特徴とする。
【００１３】
請求項４記載の発明は、請求項３記載の前記受圧手段が、前記大容量と小容量とに対応する位置で停止可能となった容量切換ピストンと、該容量切換ピストンと接離可能となり、前記容量切換ピストンと離れて前記カットオフ位置に移動可能となった圧力補償ピストンと、から構成されることを特徴とする。
【００１４】
請求項５記載の発明は、請求項４記載の前記容量可変機構が、前記容量切換ピストンの前記大容量と前記小容量とに対応する位置をそれぞれ調整可能となった容量調整機構を備えることを特徴とする。
【００１５】
請求項６記載の発明は、請求項５記載の前記容量調整機構が、２容量ポンプの外側からそれぞれ位置調整可能となり前記容量切換ピストンの前記大容量と前記小容量とに対応する位置を規定する第１ネジ部材と第２ネジ部材とを有することを特徴とする。
【００１６】
請求項７記載の発明は、請求項５記載の前記容量調整機構が、容量切換ピストンを構成すると共に前記大容量と前記小容量とに対応する位置を規定する第１ネジ部材と第２ネジ部材を有することを特徴とする。
【００１７】
請求項８記載の発明は、請求項１ないし７のいずれか１項に記載のものが、前記ポンプ本体の吐出圧力を保持する保持手段を備え、該保持手段は、前記容量可変機構の受圧部に連通する導圧路に対して前記容量切換弁が選択的に導通させる高圧側流路に接続されることを特徴とする。
【発明の効果】
【００１８】
本発明によれば、容量切換弁による切換動作によって前記容量可変機構の受圧部への圧力を変えてポンプ本体の吐出容量を大容量と小容量の何れかにすることができるのみならず、ポンプ本体の吐出圧力に応じて、前記小容量よりもポンプ本体の吐出容量を減少させることができるために、２容量ポンプが使用される液圧回路の圧力を安全に維持することができるようになる。
【００１９】
請求項２記載の発明によれば、ポンプ本体の吐出圧力が設定圧力に達したかまたは設定圧力より小さいかに応じて、圧力補償弁が、容量可変機構の第２導圧路に対して高圧側流路と低圧側流路とを選択的に連通させることで、設定圧力に達したときに、ポンプ本体の吐出容量を減少させることができて、確実に圧力補償を行うことができる。
【００２０】
請求項３記載の発明によれば、容量可変機構の受圧手段が大容量と小容量とに対応する位置の他に、実質的にゼロ容量に対応するカットオフ位置に移動可能となることから、ポンプ本体をその吐出容量が大容量、小容量のみならず、ゼロ容量の状態で安定して動作させることができる。
【００２１】
請求項４記載の発明によれば、受圧手段を容量切換ピストンと圧力補償ピストンによって構成することにより、ポンプ本体をその吐出容量が大容量、小容量及びゼロ容量の状態でそれぞれ安定して動作させることができる。
【００２２】
請求項５記載の発明によれば、容量調整機構によって前記容量切換ピストンの前記大容量と小容量とに対応する位置をそれぞれ調整可能としたことによって、構成部品の精度を向上させなくとも、大容量及び小容量のそれぞれの容量を正確に調整することができる。
【００２３】
請求項６記載の発明によれば、第１ネジ部材と第２ネジ部材のそれぞれの螺合を外側から調整することによって、大容量及び小容量のそれぞれの容量を簡単に調整することができる。
【００２４】
請求項７記載の発明によれば、容量切換ピストンを構成する第１ネジ部材と第２ネジ部材を調整することによって、大容量及び小容量のそれぞれの容量を簡単に調整することができる。
【００２５】
請求項８記載の発明によれば、保持手段によって、前記容量切換弁が容量可変機構の受圧部に連通する導圧路に対して選択的に導通させる高圧側流路の圧力を保持することができるために、高圧側流路の圧力を安定させることができて、容量可変機構による容量の切換を確実に行わせることができる。
【発明を実施するための最良の形態】
【００２６】
以下、図面を用いて本発明の実施の形態を説明する。図１は本発明の２容量ポンプの外観図、図２は回路図、図３はその構造断面図である。
【００２７】
図２において、２容量ポンプ１０は、回転駆動されて液体の吸入および吐出を行うポンプ本体１２と、ポンプ本体１２の単位回転当たりの吐出容量を可変する容量可変機構１４と、この容量可変機構１４の受圧部に連通する導圧路に対して、高圧側流路と低圧側流路とを選択的に連通させる容量切換弁１６と、を備え、さらに、圧力補償機構を構成する圧力補償弁１８を備えている。２容量ポンプ１０のポンプ本体１２にはモータ２０が連結される。モータ２０の回転速度、容量切換弁１６の切換はコントローラ３０による電気信号によって制御される。コントローラ３０には、２容量ポンプ１０の吐出圧力を検出する圧力センサ３２からの検出信号と、モータ２０からの回転及び／またはトルク信号が入力されると共に、指令圧力Ｐｉｎ、指令流量Ｑｉｎの各信号が入力される。
【００２８】
ポンプ本体１２は、図３に示したように、この例ではピストンポンプで構成される。ハウジング２０２の一端側壁面を、モータ２０の出力軸に連結されるポンプ軸２０４が回転可能に貫通しており、ポンプ軸２０４には、シリンダブロック２０６が一体回転可能に嵌合している。シリンダブロック２０６内には、円周方向に沿って複数のシリンダ室２０６ａが形成されており、各シリンダ室２０６ａ内にはピストン２０８がポンプ軸と平行に摺動可能に配設される。各ピストン２０８の一端は、シュープレート２１０に枢着されている。シュープレート２１０は、図示しないピンを介して伝わるスプリング２１２からの付勢力によりヨーク２１４に押し付けられている。ヨーク２１４とポンプ軸２０４に垂直な面とのなす角度である傾斜角度が変化することによって、ピストン２０８の行程が変化し、単位回転当たりの吐出容量が変化するようになっている。
【００２９】
ハウジング２０２の他端側にはバルブブロック２１６が連結される。バルブブロック２１６はポンプ軸２０４を軸支しており、バルブブロック２１６にはシリンダ室２０６ａと連通可能となった吸込ポート２１６ａと吐出ポート２１６ｂとが形成される。吸込ポート２１６ａにはタンク２２からの低圧側流路である吸入側流路２９が連通され、吐出ポート２１６ｂには高圧側流路である吐出側流路２８が連通される。そして、吐出側流路２８の吐出圧力は、２容量ポンプ１０を含む液圧回路の作動部に作用するようになっている。
【００３０】
ハウジング２０２内には、前記ヨーク２１４の傾斜角度を変化させるための前記容量可変機構１４が設けられる。容量可変機構１４は、大別して、バイアスピストン部３００と、コントロールピストン部３１０とを有する。
【００３１】
バイアスピストン部３００は、ヨーク２１４に一端が枢着されたバイアスピストン３０２と、バイアスピストン３０２を付勢するバイアススプリング３０４とを有する。そして、バイアスピストン３０２は、バイアススプリング３０４によって、ヨーク２１４の傾斜角度を増加する方向、即ち、吐出容量が増加する方向へと常時ヨーク２１４を押圧している。
【００３２】
コントロールピストン部３１０は、ヨーク２１４に対して前記バイアスピストン部３００と同じ側の面で、且つパイパスピストン部３００と１８０度離反した反対側の位置において、バイアスピストン部３００からのバイアス力に抗することができるように配置されており、導圧路からの圧力を受ける受圧部を有し、その導圧路からの圧力によって停止位置を変える受圧手段を備えている。
【００３３】
具体的には、受圧手段は、ヨーク２１４に枢着されて受圧部（第２受圧部）を有する圧力補償ピストン３１２と、圧力補償ピストン３１２と接離可能で受圧部を有する容量切換ピストン３１４と、から構成される。
【００３４】
圧力補償ピストン３１２は、バルブブロック２１６に一端がねじ込まれたコントロールシリンダ３１６内を摺動可能となっている。バルブブロック２１６には、コントロールシリンダ３１６と整列するようにして容量切換ピストン３１４が配されるシリンダ室３１８が貫通形成される。該シリンダ室３１８には、容量切換ピストン３１４の可動範囲を規定し、延いては、大容量時と小容量時のそれぞれの容量を調整するための容量調整機構３２０がコントロールシリンダ３１６と反対側からバルブブロック２１６内にねじ込まれているが、容量調整機構３２０の調整については後述する。シリンダ室３１８には、２つのポート３１８ａ、３１８ｂが形成される。
【００３５】
このコントロールピストン部３１０の一方のポート３１８ａには導圧路２４を介して容量切換弁１６が接続される。容量切換弁１６は、２位置の電磁弁であり、そのＰポートが高圧側流路である吐出側流路２８と連通し、Ａポートが低圧側流路である吸入側流路２９と連通し、Ｂポートが導圧路２４を介して前記ポート３１８ａに連通する。切換信号がオフのときには、容量切換弁１６がＡポートとＢポートとを連通するので、導圧路２４が低圧側流路である吸入側流路２９に連通し、前記コントロールピストン部３１０の容量切換ピストン３１４の受圧部に低圧を導く。一方、切換信号がオンになると、容量切換弁１６がＰポートとＢポートとを連通するので、導圧路２４が高圧側流路である吐出側流路２８に連通し、前記コントロールピストン部３１０の容量切換ピストン３１４の受圧部に高圧を導くようになっている。
【００３６】
コントロールピストン部３１０の他方のポート３１８ｂには導圧路２６（第２導圧路）を介して圧力補償弁１８が接続される。圧力補償弁１８は、そのＰポートが高圧側流路である吐出側流路２８と連通し、Ｔポートが低圧側流路である吸入側流路２９と連通し、Ｃポートが導圧路２６を介して前記ポート３１８ｂに連通する。吐出圧力が圧力補償弁１８内のスプリング１８ａによって設定される設定圧力以下である場合には、圧力補償弁１８がＣポートとＴポートとを連通するので、導圧路２６が低圧側流路に連通し、前記圧力補償ピストン３１２の受圧部に低圧を導く。一方、吐出圧力がスプリング１８ａによって設定される設定圧力を超えようとすると、圧力補償弁１８がＣポートとＰポートとを連通するので、導圧路２６が高圧側流路に連通し、前記圧力補償ピストン３１２の受圧部に高圧を導くようになっている。
【００３７】
以降、コントロールピストン部３１０において、ヨーク２１４に近づく方向に前進（前側）、ヨーク２１４から遠ざかる方向に後退（後側）と称することとする。
【００３８】
以上のように構成される２容量ポンプ１０において、速度制御時のように大容量が所望される場合には、コントローラ３０からの切換信号をオフとする。このために、容量切換弁１６が、ＡポートとＢポートとを連通して、導圧路２４を低圧側流路に連通しているために、前記コントロールピストン部３１０の容量切換ピストン３１４の受圧部に低圧が導かれている。同時に、吐出圧力が設定圧力に達していないために、圧力補償弁１８においても、圧力補償弁１８がＣポートとＴポートとを連通して、導圧路２６を低圧側流路に連通しているために、前記圧力補償ピストン３１２の受圧部に低圧が導かれている。
【００３９】
そのため、図４に示すように、ヨーク２１４は、バイアスピストン部３００からのバイアス力によって傾斜角度を増加する方向へと傾斜し、圧力補償ピストン３１２及び容量切換ピストン３１４は一緒に後退する。容量切換ピストン３１４が、容量調整機構３２０によって決まる最大後退位置まで後退すると、それ以上のヨーク２１４の傾斜が阻止されて、ヨーク２１４の傾斜角度が決定される。こうして、２容量ポンプ１０の吐出量は大容量で安定する。
【００４０】
次に、圧力制御時のように小容量が所望される場合には、コントローラ３０からの切換信号をオンとする。このために、容量切換弁１６が、ＰポートとＢポートとを連通して、導圧路２４を高圧側流路に連通するために、前記コントロールピストン部３１０の容量切換ピストン３１４の受圧部に高圧が導かれる。
【００４１】
そのため、図５に示すように、容量切換ピストン３１４が前進し、圧力補償ピストン３１２を押して一緒に前進して、ヨーク２１４をバイアスピストン部３００からのバイアス力に抗して押圧する。容量切換ピストン３１４が、容量調整機構３２０によって決まる最大前進位置まで前進すると、それ以上のヨーク２１４の傾斜が阻止されて、ヨーク２１４の傾斜角度が決定される。こうして、２容量ポンプ１０の吐出量は小容量で安定する。
【００４２】
次に、２容量ポンプ１０の吐出圧力が設定圧力に達すると、圧力補償弁１８が、ＣポートとＰポートとを連通して、導圧路２６を高圧側流路に連通し、前記圧力補償ピストン３１２の受圧部に高圧が導かれる。
【００４３】
そのため、図３に示すように、容量切換ピストン３１４の位置の如何に拘らず、圧力補償ピストン３１２のみが前進して、ヨーク２１４をバイアスピストン部３００からのバイアス力に抗してさらに押圧してヨーク２１４の傾斜角度をさらに小さくする。これによって、２容量ポンプ１０の吐出容量を前記小容量時よりもさらに減少させることができる。圧力補償ピストン３１２は、最大前進すると、カットオフ位置へと移動し、ヨーク２１４の傾斜角度を限りなくゼロにする。これによって、２容量ポンプ１０の吐出容量は実質的にゼロになる。このようにして、液圧回路の最大圧力を設定圧力内に維持することができるため、液圧回路を安全に保つことができる。従って、液圧回路の安全弁を不要にすることもできる。
【００４４】
次に、容量切換ピストン３１４の前進及び後退の停止位置を規定し、延いては、大容量時と小容量時のそれぞれの容量を調整するための容量調整機構３２０について説明する。図６に拡大して示したように、容量調整機構３２０は、バルブブロック２１６内にねじ込まれる第１ネジ部材３２２と、第１ネジ部材３２２にねじ込まれる第２ネジ部材３２４と、を有している。第１ネジ部材３２２は、大略、有底の筒状形状をなしてその外周面に雄ネジ３２２ａが形成されており、前記シリンダ室３１８の内周面に形成された雌ネジ３１８ｃと螺合する。雄ネジ３２２ａにはナット３２３が螺着されることにより、第１ネジ部材３２２はシリンダ室３１８に固定される。
【００４５】
また、第２ネジ部材３２４は、棒状形状をなしてその外周面に雄ネジ３２４ａが形成されており、第１ネジ部材３２２の後部の底の貫通孔内周面に形成された雌ネジ３２２ｂと螺合する。該雄ネジ３２４ａにはナット３２５が螺着されることにより、第２ネジ部材３２４は第１ネジ部材３２２に固定される。
【００４６】
第１ネジ部材３２２にはその前端側に環状の第１ストッパー３２６が圧入されており、第１ストッパー３２６は第１ネジ部材３２２に一体的に取り付けられる。前記容量切換ピストン３１４は、第１ネジ部材３２２内で摺動可能に配設されており、その小径部が第１ストッパー３２６を貫通して、前記圧力補償ピストン３１２の方へと延びる一方で、大径部は第１ストッパー３２６と対向して当接可能となっている。
【００４７】
第２ネジ部材３２４よりも前端側には、第１ネジ部材３２２内を摺動可能となった第２ストッパー３２８が配設されており、第２ストッパー３２８の前面は、容量切換ピストン３１４の後面に対向して当接可能となっている。
【００４８】
以上のように構成される容量調整機構３２０において、大容量時の容量を調整するには、まず、ナット３２５を取り外した後、第２ネジ部材３２４を前後に移動させる。これによって、第２ストッパー３２８の第１ネジ部材３２２内での位置も前後に変更可能となる。そして、適当な位置において、ナット３２５を再び第２ネジ部材３２４に螺着して、第２ネジ部材３２４の第１ネジ部材３２２に対する位置を確定する。こうして、第２ストッパー３２８の位置を調整することによって、大容量時の容量切換ピストン３１４の最大後退位置を規定することができる。
【００４９】
また、小容量時の容量を調整するには、まず、ナット３２３を取り外した後、第１ネジ部材３２２を前後に移動させる。これによって、第１ストッパー３２６も一緒に移動することで、第１ストッパー３２６のシリンダ室３１８内での位置が前後に変更する。そして、適当な位置において、ナット３２３を再び第１ネジ部材３２２に螺着して、第１ネジ部材３２２のシリンダ室３１８における位置を確定する。こうして、第１ストッパー３２６の位置を調整することによって、小容量時の容量切換ピストン３１４の最大前進位置を規定することができる。
【００５０】
このように、容量調整機構３２０によれば、大容量時と小容量時のそれぞれの容量をポンプの外部から調整することができて（図１）、簡単に行うことができる。
【００５１】
図７は、容量調整機構の他の例を表す図である。図において、バルブブロック２１６に第２バルブブロック２１８が取り付けられており、第２バルブブロック２１８内には、シリンダ室３１８に連通する第２シリンダ室３３０が形成されている。そして、容量切換ピストン３４０自身が容量調整機構を構成しており、シリンダ室３１８と第２シリンダ室３３０との間に渡り配設されている。
【００５２】
図８に示したように、容量調整機構を構成する容量切換ピストン３４０は、前後の中心部にそれぞれネジ孔が形成された端面を有するピストン本体３４２を有している。ピストン本体３４２の前側のネジ孔３４２ａには、第１ネジ部材３４４が前方からねじ込まれており、ピストン本体３４２の後側のネジ孔３４２ｂには、第２ネジ部材３４６が後方からねじ込まれている。第１ネジ部材３４４、第２ネジ部材３４６にはそれぞれロックナット３４５、３４７が螺着されることにより、第１ネジ部材３４４、第２ネジ部材３４６はピストン本体３４２に一体的に取り付いている。
【００５３】
この容量切換ピストン３４０は、第２バルブブロック２１８の後方から第２シリンダ室３３０に挿入されており、挿入後、第２シリンダ室３３０の後端はプラグ３５０がねじ込まれることによって封止される。そして、容量切換ピストン３４０の第１ネジ部材３４４はシリンダ室３１８を貫通して前記コントロールシリンダ３１６内へと延びる。これに対してピストン本体３４２はシリンダ室３１８内へは進入することはできない。
【００５４】
以上のように構成される容量調整機構を構成する容量切換ピストン３４０において、容量の調整をするには、まず、前記プラグ３５０を外して、容量切換ピストン３４０を取り出す。容量切換ピストン３４０は、圧力補償ピストン３１２と接離可能となっているため、簡単に取り出すことができる。そして、大容量時の容量を調整するには、ロックナット３４７を取り外した後、第２ネジ部材３４６を前後に移動させて、適当な位置において、ロックナット３４７を再び第２ネジ部材３４６に螺着して、第２ネジ部材３４６のピストン本体３４２に対する位置を確定する。また、小容量時の容量を調整するには、ロックナット３４５を取り外した後、第１ネジ部材３４４を前後に移動させて、適当な位置において、ロックナット３４５を再び第１ネジ部材３４４に螺着して、第１ネジ部材３４４のピストン本体３４２に対する位置を確定する。こうして調整された容量切換ピストン３４０を第２シリンダ室３３０に挿入して、プラグ３５０で第２シリンダ室３３０を塞ぐ。
【００５５】
これによって、大容量時の容量切換ピストン３４０の最大後退位置は、第２ネジ部材３４６がプラグ３５０に当接する位置となり、小容量時の容量切換ピストン３４０の最大前進位置は、ピストン本体３４２が第２シリンダ室３３０の前壁に当接する位置となり、それぞれの位置における、第１ネジ部材３４４の前端位置で、容量が決まることとなる。
【００５６】
尚、この例においては、小容量時の調整は、第１ネジ部材３４４の位置で決まるが、大容量時の調整は、第２ネジ部材３４６の位置のみならず、第１ネジ部材３４４の位置によっても決めることができる。
【００５７】
図９は、本発明の変形例を表す図である。図２の例では小容量時に、２容量ポンプ１０の吐出側流路２８が高圧側流路として、その吐出圧力が容量切換弁１６によって導圧路を介して、容量可変機構１４の受圧部へと直接、導入されていたが、吐出圧力が低下すると、容量可変機構１４の容量切換動作が不安定になるおそれがある。そのため容量切換弁１６が切り換える高圧側流路として吐出側流路２８そのものとするのではなく、容量切換弁１６のＰポートに保持手段としてのアキュムレータ３４とチェック弁３６を設けて、アキュムレータ３４とＰポートとの間を高圧側流路としている。これによって、アキュムレータ３４によって吐出圧力を保持することができ、アキュムレータ３４によって保持された圧力を、容量可変機構１４の受圧部へと導入することで、容量切換動作を安定させることができる。
【００５８】
図１０は、本発明の更なる変形例を表す図である。この例では、図９のアキュムレータ３４の代わりに保持手段として他の外部パイロット圧力源３８を導入し、外部パイロット圧力源３８とＰポートとの間を高圧側流路とした例である。外部パイロット圧力源３８は他の液圧回路またはその他の２容量ポンプ１０の吐出側流路よりもより安定的な圧力を出力することができる任意のものとすることができる。
【００５９】
図１１は、本発明の更なる変形例を表す図であり、この例では、単に、保持手段としてチェック弁３６を設けてこのチェック弁３６とＰポートとの間を高圧側流路とした例である。この例においても、高圧側流路の圧力をチェック弁３６によって保持することができるために、容量切換動作を安定させることができる。
【図面の簡単な説明】
【００６０】
【図１】本発明の２容量ポンプの外観図である。
【図２】本発明の２容量ポンプの回路図である。
【図３】本発明の２容量ポンプの構造断面図であり、圧力補償時を表す。
【図４】本発明の２容量ポンプの構造断面図であり、大容量切換時を表す。
【図５】本発明の２容量ポンプの構造断面図であり、小容量切換時を表す。
【図６】容量調整機構の拡大図である。
【図７】他の容量調整機構の要部断面図である。
【図８】図７の容量調整機構を構成する容量切換ピストンの断面図である。
【図９】本発明の変形例を表す回路図である。
【図１０】本発明のさらなる変形例を表す回路図である。
【図１１】本発明のさらなる変形例を表す回路図である。
【図１２】（ａ）は従来の２容量ポンプの回路図、（ｂ）はその構造断面図である。
【符号の説明】
【００６１】
１０  ２容量ポンプ
１２  ポンプ本体
１４  容量可変機構
１６  容量切換弁
１８  圧力補償弁
２４  導圧路
２６  導圧路（第２導圧路）
３４  アキュムレータ（保持手段）
３６  チェック弁（保持手段）
３８  外部パイロット圧力源（保持手段）
３１２  圧力補償ピストン（受圧手段）
３１４  容量切換ピストン（受圧手段）
３２０  容量調整機構
３２２  第１ネジ部材
３２４  第２ネジ部材
【図１】
0005090883.tif 000002
【図２】
0005090883.tif 000003
【図３】
0005090883.tif 000004
【図４】
0005090883.tif 000005
【図５】
0005090883.tif 000006
【図６】
0005090883.tif 000007
【図７】
0005090883.tif 000008
【図８】
0005090883.tif 000009
【図９】
0005090883.tif 000010
【図１０】
0005090883.tif 000011
【図１１】
0005090883.tif 000012
【図１２】
0005090883.tif 000013